(57)【特許請求の範囲】
【請求項１】
入力側の商用電源を変換して遊技機を動作させるための所定電圧の動作電源を供給する遊技機用安定化電源装置において、
商用電源を一次側に入力し、遊技機動作用の電源を二次側から出力するトランスと、
前記商用電源を一次側に入力し、二次側の出力が前記トランスの二次側の出力よりも小さい補助トランスと、
前記トランスの一次側巻線の有効巻数を選択可能な選択手段とを備え、
前記トランスの一次側巻線は、固定巻数の第１巻線と、前記選択手段によって有効巻数が選択可能な第２巻線と、によって構成され、
前記第１巻線は、一端が前記商用電源に、他端が前記補助トランスの一次側巻線を介して前記商用電源に接続され、
前記第２巻線は、選択手段を介して前記補助トランスの二次側巻線に接続され、
該第２巻線の有効巻数を前記選択手段により選択することでトランスの巻数比を設定するように構成したことを特徴とする遊技機用安定化電源装置。
【請求項２】
前記第２巻線には複数のタップを設け、
選択手段は、選択したタップを補助トランスの二次側に接続することで、第２巻線の有効巻数を選択することを特徴とする請求項１に記載の遊技機用安定化電源装置。
【請求項３】
前記選択手段を、タップ毎に設けられた複数のスイッチ素子を有するスイッチ回路と、各スイッチ素子のオンオフ状態を電気的に制御可能な制御部とを備えた制御回路によって構成したことを特徴とする請求項２に記載の遊技機用安定化電源装置。
【請求項４】
前記第１巻線と二次側巻線との巻数比を、商用電源の許容最低電圧で遊技機の動作電圧が得られる比に設定し、
制御部は、入力電圧の許容最低電圧からの差が大きくなる程、第２巻線の有効巻数を増やすようにスイッチ素子を制御することを特徴とする請求項３に記載の遊技機用安定化電源装置。
【請求項５】
前記第１巻線と二次側巻線との巻数比を、商用電源の規定電圧で遊技機の動作電圧が得られる比に設定し、
制御部は、入力電圧が規定電圧よりも高い場合に、第２巻線に第１巻線と同位相の電流を供給し、入力電圧が規定電圧よりも低い場合に、第２巻線に第１巻線と逆位相の電流を供給し、且つ、入力電圧と規定電圧との差が大きくなる程、第２巻線の有効巻数を増やすようにスイッチ素子を制御することを特徴とする請求項３に記載の遊技機用安定化電源装置。
【請求項６】
前記トランスの一次側に入力された商用電源の電圧レベルを検出する入力電圧検出手段を設け、
制御部は、入力電圧検出手段が検出した電圧レベルに応じて一次側巻線の有効巻数を選択することを特徴とする請求項３から請求項５の何れかに記載の遊技機用安定化電源装置。
【請求項７】
前記トランスの二次側から出力された動作電源の電圧レベルを検出する出力電圧検出手段を設け、
制御部は、出力電圧検出手段が検出した電圧レベルに応じて一次側巻線の有効巻数を選択することを特徴とする請求項３から請求項５の何れかに記載の遊技機用安定化電源装置。
【請求項８】
前記制御回路の動作電源をトランスの二次側から得ることを特徴とする請求項３から請求項７の何れかに記載の遊技機用安定化電源装置。
【発明の詳細な説明】
【０００１】
【発明の属する技術分野】
この発明は、パチンコ機やパチスロ機などの遊技機に供給する動作電源を得るための安定化電源装置に関するものである。
【０００２】
【従来の技術】
トランスを利用して商用電源から遊技機を動作させるための所定電圧（例えば２４Ｖ）の動作電源を得る場合、入力電圧を商用電源の規定電圧である１００Ｖと想定して一次側巻線と二次側巻線との巻数比を決定していた。
【０００３】
しかし、最近の遊技機はＣＰＵ等を含む制御回路を有し、高い電圧精度が要求されるが、反面、商用電源は電源電圧が不安定である。特に、近隣に大規模な工場が存在する場所や繁華街等では、電源電圧が不安定になりがちである。そして、商用電源の電圧が大きく変動してしまうと、この電圧変動に伴ってトランスからの出力電圧が変動し、トランスの二次側に接続された遊技機の動作が不安定になってしまう虞がある。
【０００４】
そこで、遊技機の動作電源を安定化電源から得ることが行われている。この安定化電源は、例えば、二次側巻線に複数のタップを設け、複数のタップの中から所定電圧を出力しているタップを選択する構成である。
【０００５】
【発明が解決しようとする課題】
ところで、上記のように二次側巻線に複数のタップを設ける構成では、タップを切り換えるためのスイッチに関し、接点容量が大きくなってしまうという問題がある。即ち、この種の遊技機に用いるトランスは、通常、複数台の遊技機に対して一括して電源を供給する。このため、トランスは、例えば１ＫＶＡ程度の大出力のものが用いられる。この場合、スイッチは、４１．７Ａの電流を流し得る接点容量のものが必要になる。
【０００６】
そして、スイッチの接点容量が大きくなると、安定化電源装置が大型になり、より広い設置スペースが必要となる。しかし、この種の遊技機は島設備に取り付けられるものであり、安定化電源装置は島設備内に配置されるものであるので、安定化電源装置が大型化してしまうのは好ましくない。
【０００７】
この発明は、上記した事情に鑑みてなされたものであり、小型な遊技機用安定化電源装置を提供することを目的とする。
【０００８】
【課題を解決するための手段】
上記目的を達成するため、請求項１に記載のものは、入力側の商用電源を変換して遊技機を動作させるための所定電圧の動作電源を供給する遊技機用安定化電源装置において、
商用電源を一次側に入力し、遊技機動作用の電源を二次側から出力するトランスと、
前記商用電源を一次側に入力し、二次側の出力が前記トランスの二次側の出力よりも小さい補助トランスと、
前記トランスの一次側巻線の有効巻数を選択可能な選択手段とを備え、
前記トランスの一次側巻線は、固定巻数の第１巻線と、前記選択手段によって有効巻数が選択可能な第２巻線と、によって構成され、
前記第１巻線は、一端が前記商用電源に、他端が前記補助トランスの一次側巻線を介して前記商用電源に接続され、
前記第２巻線は、選択手段を介して前記補助トランスの二次側巻線に接続され、
該第２巻線の有効巻数を前記選択手段により選択することでトランスの巻数比を設定するように構成したことを特徴とする遊技機用安定化電源装置である。なお、「有効巻数」とは、磁界の発生に関与する巻線量を意味する。
【００１０】
請求項２に記載のものは、前記第２巻線には複数のタップを設け、選択手段は、選択したタップを補助トランスの二次側に接続することで、第２巻線の有効巻数を選択することを特徴とする請求項１に記載の遊技機用安定化電源装置である。
【００１１】
請求項３に記載のものは、前記選択手段を、各タップ毎に設けられた複数のスイッチ素子を有するスイッチ回路と、各スイッチ素子のオンオフ状態を電気的に制御可能な制御部とを備えた制御回路によって構成したことを特徴とする請求項２に記載の遊技機用安定化電源装置である。
【００１２】
請求項４に記載のものは、前記第１巻線と二次側巻線との巻数比を、商用電源の許容最低電圧で遊技機の動作電圧が得られる比に設定し、制御部は、入力電圧の許容最低電圧からの差が大きくなる程、第２巻線の有効巻数を増やすようにスイッチ素子を制御することを特徴とする請求項３に記載の遊技機用安定化電源装置である。
【００１３】
請求項５に記載のものは、前記第１巻線と二次側巻線との巻数比を、商用電源の規定電圧で遊技機の動作電圧が得られる比に設定し、制御部は、入力電圧が規定電圧よりも高い場合に、第２巻線に第１巻線と同位相の電流を供給し、入力電圧が規定電圧よりも低い場合に、第２巻線に第１巻線と逆位相の電流を供給し、且つ、入力電圧と規定電圧との差が大きくなる程、第２巻線の有効巻数を増やすようにスイッチ素子を制御することを特徴とする請求項３に記載の遊技機用安定化電源装置である。
【００１４】
請求項６に記載のものは、前記トランスの一次側に入力された商用電源の電圧レベルを検出する入力電圧検出手段を設け、制御部は、入力電圧検出手段が検出した電圧レベルに応じて一次側巻線の有効巻数を選択することを特徴とする請求項３から請求項５の何れかに記載の遊技機用安定化電源装置である。
【００１５】
請求項７に記載のものは、前記トランスの二次側から出力された動作電源の電圧レベルを検出する出力電圧検出手段を設け、制御部は、出力電圧検出手段が検出した電圧レベルに応じて一次側巻線の有効巻数を選択することを特徴とする請求項３から請求項５の何れかに記載の遊技機用安定化電源装置である。
【００１６】
請求項８に記載のものは、前記制御回路の動作電源をトランスの二次側から得ることを特徴とする請求項３から請求項７の何れかに記載の遊技機用安定化電源装置である。
【００１７】
【発明の実施の形態】
以下、本発明の実施の形態を図面に基づいて説明する。図１はこの発明の一実施形態である遊技機用安定化電源装置（以下、単に電源装置と称する。）の構成を示すブロック図である。
【００１８】
図１に示すように、電源装置は、主トランス１と、補助トランス２と、制御回路３とから概略構成されている。
【００１９】
主トランス１は、本発明におけるトランス（降圧トランス）であり、鉄心４と、この鉄心４の周囲に巻かれた一次側巻線５と、鉄心４の周囲に巻かれ、両端が出力端子６，６に接続された二次側巻線７とで構成されている。本実施形態において、この主トランス１の出力は１ＫＶＡである。同様に、補助トランス２も、鉄心８と、この鉄心８の周囲に巻かれた一次側巻線９と、鉄心８の周囲に巻かれた二次側巻線１０とで構成されている。なお、この補助トランス２において入力側と出力側の巻線比は１対１であり、出力は主トランス１の１／１０程度に設定されている。
【００２０】
主トランス１の一次側巻線５は、固定巻数の第１巻線１１と、有効巻数（磁界の発生に関与する巻線量）が選択可能な第２巻線１２とで構成されている。第１巻線１１の一端は商用電源用の入力端子１３に接続され、他端は補助トランス２の一次側巻線９を介して商用電源用の入力端子１３に接続されている。この第１巻線１１の巻数は、主トランス１の二次側巻線７との巻数比によって定められる。即ち、第１巻線１１の巻数は、商用電源における許容最低電圧で二次側巻線７から遊技機の動作電圧が得られるように設定される。本実施形態では、許容最低電圧を９５Ｖに設定しているので、第１巻線１１の巻数は、商用電源の入力電圧が９５Ｖのときに二次側巻線７から遊技機の動作電圧である２４Ｖが出力される数に設定される。
【００２１】
図２に示すように、第２巻線１２には複数のタップＴ０〜Ｔ９が設けられており、これらのタップＴ０〜Ｔ９を選択することで、有効巻数が選択可能とされている。本実施形態における第２巻線１２は、制御回路３が備えるスイッチ回路１４を介して補助トランス２の二次側巻線１０に接続されている。
【００２２】
即ち、補助トランス２における二次側巻線１０の一端は、スイッチ回路１４内で第２巻線１２のコモンタップＴ０に接続されている。また、この二次側巻線１０の他端は、スイッチ回路１４の第１スイッチ素子Ｓ１〜第９スイッチ素子Ｓ９を介して第２巻線１２の複数の選択タップＴ１〜Ｔ９の何れか１つに接続可能である。従って、本実施形態では、制御回路３及びスイッチ回路１４が本発明における選択手段の一種として機能する。
なお、本実施形態のスイッチ回路１４は、全てのスイッチ素子Ｓ１〜Ｓ９をオフに設定することで、第２巻線１２を非能動状態、即ち、磁界の発生に関与しない状態にすることもできる。
【００２３】
これらの各スイッチ素子Ｓ１〜Ｓ９は、主トランス１における一次側に設けられているため、その接点容量を小さくすることができる。さらに、本実施形態では、主トランス１よりも出力の小さい補助トランス２の２次側巻線１０と第２巻線１２との間に、各スイッチ素子Ｓ１〜Ｓ９を設けているので、主トランス１の一次側巻線５から直接タップを出した構成に比べて、スイッチ素子の接点容量をより少なくすることができる。
【００２４】
そして、上記の第１スイッチ素子Ｓ１をオンに設定すると、第２巻線１２の第１ブロックＢ１と補助トランス２の二次側巻線１０との間で閉回路が形成される。ここで、補助トランス２の一次側巻線９には商用電源が入力されているので、補助トランス２の二次側に誘起された交流電圧によって第２巻線１２の第１ブロックＢ１が能動化し、磁界を発生する。このとき、第２巻線１２には第１巻線１１と同位相の電流が流れるため、第２巻線１２の第１ブロックＢ１から発生する磁界は、第１巻線１１から発生する磁界と同じ方向の磁界となる。このため、主トランス１における一次側の有効巻数は、第１巻線１１の巻数に対し、第１ブロックＢ１から発生する磁界に相当する巻数を加えた数となる。
【００２５】
また、第２スイッチ素子Ｓ２をオンに設定すると、第２巻線１２の第１ブロックＢ１及び第２ブロックＢ２と補助トランス２の二次側巻線１０との間で閉回路が形成される。このため、第２スイッチ素子Ｓ２をオンに設定すると、主トランス１における一次側の有効巻数は、第１巻線１１の巻数に対し、第１ブロックＢ１及び第２ブロックＢ２から発生する磁界に相当する巻数を加えた数となる。
【００２６】
以下同様に、第３スイッチ素子Ｓ３〜第８スイッチ素子Ｓ８をオンに設定すると、第２巻線１２の対応するブロックＢ３〜Ｂ８と補助トランス２の二次側巻線１０との間で閉回路が形成され、主トランス１における一次側の有効巻数が可変される。そして、第９スイッチ素子Ｓ９をオンに設定すると、主トランス１における一次側の有効巻数は、第１巻線１１の巻数に対し、第２巻線１２の全ブロックＢ１〜Ｂ９から発生する磁界に相当する巻数を加えた数となる。
【００２７】
次に、制御回路３について説明する。
この制御回路３は、中央制御装置としてのＣＰＵ１５と、上記したスイッチ回路１４と、補助トランス２の二次側巻線１０に誘起された交流電圧を整流する整流回路１６と、整流回路１６で整流された脈流の電圧値を取得する電圧検出回路１７と、整流回路１６で整流された脈流を反転増幅してパルス信号を生成する増幅回路１８と、主トランス１の二次側に出力された動作電圧からＣＰＵ１５やスイッチ回路１４等の作動用電源を生成する電源回路１９とを含んで構成されている。
【００２８】
上記の整流回路１６は、例えばダイオードブリッジによって構成され、交流電圧を整流して１００Ｖの脈流とする。増幅回路１８は、整流回路１６からの脈流から例えばＴＴＬレベルのパルス信号を生成する。このパルス信号はＣＰＵ１５に入力される。そして、このパルス信号の周波数は商用電源の周波数に一致しているので、ＣＰＵ１５はパルス信号に基づいて商用電源の周波数を検出する。
従って、整流回路１６、増幅回路１８、及び、ＣＰＵ１５は、本発明の周波数検出手段として機能し、商用電源の周波数が５０Ｈｚ又は６０Ｈｚの何れであるかを検出する。
【００２９】
上記の電圧検出回路１７は、例えば定電圧ダイオードで構成される。ここで、整流回路１６からの出力は１００Ｖの脈流であるので、定電圧ダイオードによってこの脈流における規定値（例えば平均値）以下の電圧信号をカットし、規定値よりも高い電圧信号をＣＰＵ１５のＡ／Ｄ入力端子（アナログ・デジタル変換用の端子）に入力する。このとき、電圧信号は、分圧するなどして入力可能な電圧レベルに調整してからＣＰＵ１５へ入力する。そして、ＣＰＵ１５は、入力された電圧信号の電圧値から商用電源の電圧値を認識し、認識した電圧値と商用電源の許容最低電圧（例えば、９５Ｖ）との差を判定する。
従って、整流回路１６、電圧検出回路１７、及び、ＣＰＵ１５は、本発明の入力電圧検出手段として機能し、主トランス１に入力される商用電源の電圧値を検出する。
【００３０】
上記の電源回路１９は、例えば、整流回路１９ａ、平滑回路１９ｂ及びレギュレータ１９ｃによって構成され、主トランス１の二次側から出力された２４Ｖの交流電圧から直流５Ｖの電源（Ｖｃｃ）を生成する。そして、この直流５Ｖの電源は、この制御回路３内の各部、例えばＣＰＵ１５やスイッチ回路１４の動作電源として用いられる。
【００３１】
上記のＣＰＵ１５は、本発明の制御部の一種であり、スイッチ回路１４が有するスイッチ素子Ｓ１〜Ｓ９のオンオフ状態を電気的に制御する。本実施形態では、ＣＰＵ１５は、認識した商用電源の入力電圧と許容最低電圧との差に基づいてスイッチ素子Ｓ１〜Ｓ９を選択し、主トランス１の一次側巻線５の有効巻数を最適化することで、主トランス１の二次側から一定電圧の動作電源を出力させる。即ち、入力電圧の許容最低電圧からの差が大きくなる程、第２巻線１２の有効巻数を増やすようにスイッチ素子Ｓ１〜Ｓ９を制御し、一定電圧の動作電源を供給する。
【００３２】
ここで、ＣＰＵ１５が行う第２巻線１２の巻線数の選択動作について、図３のフローチャートに基づいて説明する。
【００３３】
まず、入力端子１３から商用電源が入力されると、補助トランス２の二次側巻線１０に出力される電圧の周波数に基づき、商用電源の周波数が５０Ｈｚであるか６０Ｈｚであるかを判定する（ステップＳＴ１）。即ち、ＣＰＵ１５は、整流回路１６及び増幅回路１８によって生成されたパルス信号の周波数を検出する。
【００３４】
商用電源の周波数を判定したならば、入力された商用電源の電圧値が許容最低電圧としての９５Ｖであるか否かを判定する（ステップＳＴ２）。即ち、ＣＰＵ１５は、電圧検出回路１７からの電圧信号をデジタル変換してその電圧値を認識する。
【００３５】
ここで、入力された商用電源が９５Ｖであれば、第１巻線１１と二次側巻線７との巻線比で主トランス１の二次側から所定電圧の動作電源を出力させることができる。このため、商用電源が９５Ｖの場合には、ＣＰＵ１５は、全てのスイッチ素子Ｓ１〜Ｓ９を開放させて補助トランス２の二次側巻線１０と第２巻線１２とを非導通状態にし、第２巻線１２を非能動状態にする（ステップＳＴ３）。
【００３６】
一方、入力された商用電源が９５Ｖよりも高い電圧であれば、９５Ｖよりも何Ｖ高いかを求め（ステップＳＴ４）、その後、付加する第２巻線１２のブロック数（つまり巻数）を設定する。言い換えれば、一次側巻線５の有効巻数を設定する（ステップＳＴ５）。ここで、ＣＰＵ１５は、入力電圧の許容最低電圧からの差が大きくなる程、第２巻線１２の有効巻数を増やすように設定する。
【００３７】
本実施形態では、第２巻線１２が９つのブロックＢ１〜Ｂ９に分割されており、１つのブロックが約１．４Ｖに対応している。このため、入力電圧が９５Ｖ〜１０７Ｖの範囲で一定電圧の動作電源を供給できる。即ち、入力電圧が９５．１Ｖ〜９６．４Ｖの場合には、第２巻線１２の第１ブロックＢ１を能動状態とするように選択する。また、入力電圧が９６．５Ｖ〜９７．８Ｖの場合には、第２巻線１２の第１ブロックＢ１及び第２ブロックＢ２を能動状態とするように選択する。そして、入力電圧が上昇する毎に能動化するブロックを増やし、入力電圧が１０６．３Ｖ以上になると、第２巻線１２の全ブロックＢ１〜Ｂ９を能動化するように選択する。
なお、このステップＳＴ５において、ＣＰＵ１５に、商用電源の周波数を加味して一次側巻線５の有効巻数を選択させてもよい。
【００３８】
付加する第２巻線１２の巻数を設定したならば、設定した巻数（ブロック）の第２巻線１２を能動化する（ステップＳＴ６）。これにより、主トランス１における一次側巻線５の有効巻数が商用電源の入力電圧に応じた数に設定され、入力電圧の変動に拘わらず、主トランス１の二次側からは遊技機の動作に必要な２４Ｖの動作電源が出力される。
【００３９】
そして、以上の構成を有する電源装置では、主トランス１の一次側巻線５の有効巻数を変化させることにより、主トランス１の出力電圧を所望電圧とするようにしたので、一次側巻線５の有効巻数を設定するためのスイッチ素子Ｓ１〜Ｓ９の接点容量を小さくできる。したがって、電源装置を小型化でき、島設備内等の狭い設置スペースでも容易に設置可能となる。さらに、スイッチ素子Ｓ１〜Ｓ９の接点容量が小さくなることにより、スイッチ素子Ｓ１〜Ｓ９の寿命も延び、メンテナンスも容易で簡単になる。
【００４０】
また、遊技機の動作電源は例えば２４Ｖであり、商用電源の電圧値よりも低いので、主トランス１におけるコイルの巻数に関し、一次側の巻数の方が二次側の巻数よりも多くなる。このため、複数のタップＴ０〜Ｔ９を容易に且つ精度良く設けることができる。
【００４１】
さらに、主トランス１の一次側巻線５を第１巻線１１と第２巻線１２とに分け、第２巻線１２を補助トランス２の二次側巻線１０に接続したので、第１巻線１１と第２巻線１２とは電気的には非接続とされる。このため、万一、故障等によって制御回路３が機能しなくなっても、主トランス１は、第１巻線１１と二次側巻線７の巻線比のトランスとして機能し、二次側から動作電源を供給できる。
そして、主トランス１における第１巻線１１と二次側巻線７の巻線比は、商用電源の許容最低電圧で動作電圧が得られる比に設定されているので、制御回路３が機能しなくなっても、出力電圧は遊技機の動作に支障を来さない程度の値に収まる。このため、遊技機の動作が止められてしまう不具合を防止できる。
【００４２】
また、主トランス１の二次側から出力された動作電源を用いて制御回路３の作動電源を得ているので、万一、主トランス１の二次側に短絡事故などが発生してしまった場合には、制御回路３に作動電源が供給されなくなる。これにより、制御回路３の作動が停止されるので、制御回路３の破損等を防止でき、安全性を向上させることができる。
【００４３】
ところで、上記した第１実施形態では、主トランス１における第１巻線１１と二次側巻線７との巻数比を商用電源の許容最低電圧で動作電圧が得られる比に設定し、入力電圧の許容最低電圧からの差が大きくなる程、第２巻線１２の有効巻数を増やしていたが、本発明は、この構成に限定されない。
【００４４】
例えば、主トランスにおける第１巻線と二次側巻線との巻数比を、商用電源の規定電圧で動作電圧が得られる比に設定し、入力電圧が基準電圧よりも高い場合に、第２巻線に第１巻線と同位相の電流を供給し、入力電圧が基準電圧よりも低い場合に、第２巻線に第１巻線と逆位相の電流を供給し、且つ、入力電圧と基準電圧との差が大きくなる程に第２巻線の有効巻数を増やすように構成してもよい。以下、このように構成した第２実施形態について説明する。
【００４５】
図４及び図５は、この第２実施形態の電源装置の構成を説明するブロック図である。この電源装置も第１実施形態の電源装置と基本的には同じ構成であるが、次の点が相違する。
【００４６】
第１に、主トランス１の第１巻線１１に関し、この第１巻線１１と二次側巻線７との巻数比を、商用電源の規定電圧で動作電圧が得られる比に設定している。即ち、第１巻線１１の巻数を、規定電圧である１００Ｖの商用電源が入力された場合に二次側巻線７から２４Ｖの動作電源が供給される数に設定している。
【００４７】
第２に、主トランス１の第２巻線１２´に関し、第２巻線１２´の一端側に第１コモンタップＴ１１を設けると共に他端側に第２コモンタップＴ２０を設け、第２巻線１２´の途中からは複数の中間タップＴ１２〜Ｔ１９を引き出している。また、各タップＴ１１〜Ｔ２０毎に設けたスイッチ素子Ｓ１１〜Ｓ２０を介して第１コモンタップＴ１１と第２コモンタップＴ２０の何れか一方を補助トランス２の二次側巻線１０の一端側に接続し、中間タップの何れか１つを中間タップを補助トランス２の二次側巻線１０の他端側に接続している。
【００４８】
そして、入力された商用電源が規定電圧（１００Ｖ）よりも高い場合には、ＣＰＵ１５は、第１コモンタップＴ１１と何れかの中間タップＴ１２〜Ｔ１９をオン状態にする。これにより、第２巻線１２´には第１巻線１１と同位相の電流が流れるため、能動化された第２巻線１２´からの磁界は、第１巻線１１から発生する磁界と同じ方向である。このため、主トランス１における一次側の有効巻数は、第１巻線１１の巻数に能動状態とされた第２巻線１２´の巻数を加えた数となる。
【００４９】
一方、入力された商用電源が規定電圧よりも低い場合には、ＣＰＵ１５は、第２コモンタップＴ２０と何れかの中間タップＴ１２〜Ｔ１９をオン状態にする。これにより、第２巻線１２´には第１巻線１１と逆位相の電流が流れる。このため、第２巻線１２´から発生する磁界は、第１巻線１１から発生する磁界と逆方向の磁界となり、第１巻線１１から発生する磁界を打ち消すように作用する。このため、主トランス１における一次側の有効巻数は、第１巻線１１の巻数より、第２巻線１２´から発生する磁界に相当する巻数を減じた数になる。
【００５０】
そして、第２巻線１２´から発生する磁界の強さは能動化されたブロックＢ１１〜Ｂ１９の数に比例して大きくなるので、ＣＰＵ１５は、入力電圧と規定電圧との差が大きくなる程、第２巻線１２´の能動化ブロック（つまり、有効巻数）を増やすようにスイッチ素子Ｓ１１〜Ｓ２０を制御する。
【００５１】
これにより、例えば、図６に示すように、入力される商用電源の電圧レベルが９３Ｖ〜１０７Ｖの範囲において、一定電圧（２４Ｖ）の動作電源を供給できる。即ち、入力電圧が１０７Ｖであった場合には、第１スイッチ素子Ｓ１１と第９スイッチ素子Ｓ１９とをオン状態にすることで電圧値が２３．９６Ｖの動作電源が供給できる。同様に、入力電圧が１０３Ｖであった場合には、第１スイッチ素子Ｓ１１と第５スイッチ素子Ｓ１５とをオン状態にすることで電圧値が２３．９６Ｖの動作電源が供給できる。また、電圧値が９３Ｖであった場合には第１０スイッチ素子Ｓ２０と第２スイッチ素子Ｓ１２とをオン状態にすることで電圧値が２４．０４Ｖの動作電源が供給できる。
【００５２】
なお、本実施形態において、入力電圧が１００Ｖの場合には、第１スイッチ素子Ｓ１１と第２スイッチ素子Ｓ１２とをオン状態にしてもよいし、第１０スイッチ素子Ｓ２０と第９スイッチ素子Ｓ１９とをオン状態にしてもよい。何れの組み合わせを採るかは、例えば、直前の接続状態で定める。即ち、直前に使用していたコモンタップＴ１１，Ｔ２０をそのまま使用する組み合わせを採る。
【００５３】
第３に、主トランス１の二次側から出力された動作電源の電圧レベルを検出し、この電圧レベルが所定の動作電圧（例えば２４Ｖ）になるように、主トランス１の一次側巻線５の有効巻数を選択している。
このため、制御回路３には、主トランス１の二次側からの動作電源を整流する整流回路１６と、この整流回路１６で整流された脈流の電圧値を取得する電圧検出回路１７とを設けてある。これらの整流回路１６や電圧検出回路１７の構成は、第１実施形態の整流回路１６や電圧検出回路１７と同じである。但し、第１実施形態では商用電源の入力電圧を検出するのに対し、本実施形態では出力側（二次側）の動作電源の電圧を検出するので、回路定数等の必要な変更がなされている。
そして、ＣＰＵ１５は、入力された電圧信号の電圧値から動作電源の電圧値を認識し、認識した電圧値と目標値（例えば２４Ｖ）との差を判定する。
従って、整流回路１６、電圧検出回路１７、及び、ＣＰＵ１５は、本発明の出力電圧検出手段として機能し、主トランス１から出力された動作電源の電圧値を検出する。
【００５４】
第４に、主トランス１の二次側から出力された動作電源の周波数を検出している。
このため、制御回路３には、上記の整流回路１６で整流された脈流を反転増幅する増幅回路１８を設けてある。この増幅回路１８についても、第１実施形態の増幅回路１８と同じ構成である。
そして、この増幅回路１８から出力されたパルス信号の周波数は、商用電源の周波数に一致しているので、ＣＰＵ１５はパルス信号に基づいて商用電源の周波数を検出する。
従って、本実施形態において、整流回路１６、増幅回路１８、及び、ＣＰＵ１５は、本発明の周波数検出手段として機能し、商用電源の周波数が５０Ｈｚ又は６０Ｈｚの何れであるかを検出する。
【００５５】
なお、本実施形態では、整流回路１６が主トランス１の二次側からの動作電源を整流するので、電源回路１９´は、平滑回路１９ｂとレギュレータ１９ｃとから構成される。
【００５６】
次に、この第２実施形態における第２巻線１２´の選択動作について、図７のフローチャートに基づいて説明する。
【００５７】
まず、入力端子１３に入力電圧が供給されると、主トランス１の二次側巻線７に出力される動作電源の周波数に基づき、商用電源の周波数が５０Ｈｚであるか、６０Ｈｚであるかを判定する（ステップＳＴ１１）。
【００５８】
商用電源の周波数を判定したならば、電圧検出回路１７からの電圧信号に基づき、出力された動作電源の電圧値が目標電圧としての２４Ｖであるか否かを判定する（ステップＳＴ１２）。
【００５９】
ここで、出力された動作電源の電圧値が目標通りの２４Ｖであれば、直前のスイッチ素子の接続状態をそのまま継続する（ステップＳＴ１３）。
【００６０】
一方、動作電源の電圧値が目標電圧からずれている場合には、出力電圧に対するチェックを行い、能動化するブロックＢ１１〜Ｂ１９及び使用するコモンタップＴ１１，Ｔ２０、即ち、能動化するブロックに流す電流の位相を定める（ステップＳＴ１４）。
ここで、第２巻線１２´の１ブロック当たりの出力電圧の変化量は既知であるので、ＣＰＵ１５は、出力電圧の目標値（２４．００Ｖ）からの差に基づき、能動化するブロックの増減量を把握できる。このため、ＣＰＵ１５は、出力電圧の目標値からの差と対応するブロックの数とをテーブル情報として、内部のＲＯＭ等に記憶しており、このテーブル情報に基づき、能動化するブロック及び使用するコモンタップを定める。
なお、このステップＳＴ１４において、ＣＰＵ１５に、商用電源の周波数を加味して能動化するブロックを選択させてもよい。
【００６１】
そして、第１コモンタップＴ１１を用いる場合には、ステップＳＴ１５に移行して、第１スイッチ素子Ｓ１１と対応するスイッチ素子Ｓ１２〜Ｓ１９とをオン状態にする。一方、第２コモンタップＴ２０を用いる場合には、ステップＳＴ１６に移行して、第１０スイッチ素子Ｓ２０と対応するスイッチ素子Ｓ１９〜Ｓ１２とをオン状態にする。これにより、主トランス１における一次側巻線５の有効巻数が入力電圧に応じた数に設定され、入力電圧の変動に拘わらす主トランス１の二次側からは、遊技機の動作に必要な２４Ｖの動作電源が出力される。
【００６２】
そして、以上説明した第２実施形態においても、主トランス１の一次側巻線５の巻線数を変化させているので、一次側巻線５の有効巻線数を設定するためのスイッチ素子の接点容量を小さくできる。したがって、電源装置を小型化でき、島設備内等の狭い設置スペースでも容易に設置可能となる。さらに、スイッチ素子の接点容量が小さくなることにより、スイッチ素子の寿命も延び、メンテナンスも容易で簡単になる。
【００６３】
さらに、主トランス１における第１巻線１１と二次側巻線７の巻線比は、商用電源の規定電圧値で所望の動作電圧が得られる比であるので、制御回路３が機能しなくなっても、出力電圧は遊技機の動作に支障を来さない程度の値に収まる。このため、遊技機の動作が止められてしまう不具合を防止できる。
【００６４】
ところで、本発明は、上記した各実施形態に限定されるものではなく、特許請求の範囲の記載に基づき種々の変形が可能である。
【００６５】
例えば、第１実施形態は、主トランス１への入力電圧に基づいて主トランス１における一次側の有効巻線数を設定する構成であったが、第２実施形態のように主トランス１からの出力電圧に基づいて一次側の有効巻線数を設定するようにしてもよい。同様に、第２実施形態を、第１実施形態のように主トランス１への入力電圧に基づいて一次側の有効巻線数を設定するようにしてもよい。
【００６６】
また、第２巻線１２´に設けるタップの間隔は、任意に設定可能である。例えば０．５Ｖ間隔であってもよい。そして、主トランス１の一次側巻線５に関し、この一次側巻線５を単一の巻線で構成して途中にタップを設けてもよい。
【００６７】
また、ＣＰＵ１５に変えてロジック回路で構成したスイッチ制御回路を設け、このスイッチ制御回路によってスイッチ回路１４を制御するように構成してもよい。また、ＣＰＵ１５及びスイッチ回路１４に変えて、手動操作の切換スイッチ（本発明の選択手段の一種に相当。）を設け、この切換スイッチによって能動化するブロックを切り換えるようにしてもよい。
【００６８】
【発明の効果】
以上のように、この発明によれば、トランスの一次側巻線の有効巻数を変化させることにより、トランスから出力される動作電源の電圧を所望電圧とするようにしたので、一次側巻線の巻線数を切り換えるスイッチの接点容量を小さくできる。
したがって、装置を小型化することができ、島設備のような狭い設置スペースでも容易に設置できるようになる。
そして、接点容量が小さくなることにより、スイッチの寿命も延び、メンテナンスも容易になる。
【００６９】
また、トランスの一次側巻線にタップを設けた場合には、一次側巻線の巻数は二次側よりも多いので、タップを設ける作業がし易く、簡単、かつ作業性よくタップを設けることができる。
【００７０】
さらに、トランスの一次側巻線を、固定巻数の第１巻線と、選択手段によって有効巻数が選択可能な第２巻線とによって構成し、第２巻線を、商用電源が一次側巻線に入力される補助トランスの二次側巻線に接続したので、選択手段が機能しなくなっても、第１巻線によってトランスの二次側に動作電源を供給できる。
【００７１】
また、制御回路の作動電源をトランスの二次側から得るようにした場合には、装置の安全性を向上させることができる。
【図面の簡単な説明】
【図１】第１実施形態の装置構成を示すブロック図である。
【図２】第１実施形態の要部構成を示すブロック図である。
【図３】第２巻線の選択動作を説明するフローチャートである。
【図４】第２実施形態の装置構成を示すブロック図である。
【図５】第２実施形態の要部構成を示すブロック図である。
【図６】第２巻線の選択パターンを説明する図である。
【図７】第２巻線の選択動作を説明するフローチャートである。
【符号の説明】
１  主トランス
２  補助トランス
３  制御回路
４  主トランスの鉄心
５  主トランスの一次側巻線
６  出力端子
７  主トランスの二次側巻線
８  補助トランスの鉄心
９  補助トランスの一次側巻線
１０  補助トランスの二次側巻線
１１  一次側巻線の第１巻線
１２，１２´  一次側巻線の第２巻線
１３  入力端子
１４，１４´  スイッチ回路
１５  ＣＰＵ
１６  整流回路
１７  電圧検出回路
１８  増幅回路
１９，１９´  電源回路
Ｓ１〜Ｓ２０  スイッチ素子
Ｔ０〜Ｔ２０  タップ
【図１】
0004834248.tif 000002
【図２】
0004834248.tif 000003
【図３】
0004834248.tif 000004
【図４】
0004834248.tif 000005
【図５】
0004834248.tif 000006
【図６】
0004834248.tif 000007
【図７】
0004834248.tif 000008